(57)【要約】      （修正有）【課題】ＬＥＤ電球を点灯した場合にＬＥＤから発せられた光がレンズを透過した場合に照射された物にリング状模様が映し出されないＬＥＤ電球を提供する。【解決手段】ＬＥＤ電球１０はカバー体１２と、筐体１４と、口金１６とを備えている。筐体１４にはＬＥＤ取付板が設けられている。このＬＥＤ取付板の中央にはＬＥＤが取り付けられている。また、このＬＥＤを覆うようにレンズ２６が設けられている。レンズ２６の先端にはレンズ本体部２６Ｃが連続形成され、レンズ本体部２６Ｃの先端面には漏斗状凹部が形成されている。レンズ本体部２６Ｃの外側面及び漏斗状凹部の表面には極めて細かい凹凸３０が形成されている。【選択図】図１
0003171406.tif 000002
【実用新案登録請求の範囲】
【請求項１】
カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された凹部と、前記レンズ先端部の外側面及び前記凹部の表面の少なくとも一方に形成された細かい凹凸と、を有してなることを特徴とするＬＥＤ電球。
【請求項２】
カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された凹部と、前記レンズ本体部の外側面及び前記凹部の表面に形成された細かい凹凸と、を有してなることを特徴とするＬＥＤ電球。
【請求項３】
カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された漏斗状凹部と、前記レンズ先端部の外側面及び前記漏斗状凹部の表面の少なくとも一方に形成された細かい凹凸と、を有してなることを特徴とするＬＥＤ電球。
【請求項４】
カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された漏斗状凹部と、前記レンズ先端部の外側面及び前記漏斗状凹部の表面に形成された細かい凹凸と、を有してなることを特徴とするＬＥＤ電球。
【請求項５】
前記カバー体を球状に形成したことを特徴とする請求項１、請求項２、請求項３、請求項４のいずれか１項に記載のＬＥＤ電球。
【考案の詳細な説明】
【技術分野】
【０００１】
本考案は、ＬＥＤ電球に関し、詳しくはＬＥＤ電球と対向すると共にＬＥＤ電球からの光が照射される物の表面にリング状模様が映し出されないＬＥＤ電球に関する。
【背景技術】
【０００２】
近年、消費電力が白熱電球よりも少なくてしかも使用期間も白熱電球よりも圧倒的に長いＬＥＤ電球が提案されている（特許文献１）。
このＬＥＤ電球の中にはＬＥＤを覆うように設けられて前記ＬＥＤから発せられた光を所定の方向に導く役目を果たすレンズを有するＬＥＤ電球がある。
このタイプのＬＥＤ電球のレンズの先端部にはレンズ本体部が形成され、レンズ本体部の先端面には漏斗状凹部が形成されている。
このため、前記ＬＥＤ電球を点灯させるとＬＥＤから発せられた光が前記漏斗状凹部を透過するため、ＬＥＤ電球と対向すると共にＬＥＤ電球からの光が照射される物（天井、壁、テーブル等）の表面にリング状模様が何重にもなって映し出されてしまう。
このため、その物を見た場合に何重ものリング状模様が目に入り目障りであるという不具合がある。
【先行技術文献】
【特許文献】
【０００３】
【特許文献１】特開２００８−１３５２１０号公報
【考案の概要】
【考案が解決しようとする課題】
【０００４】
本考案は、上記事実に鑑みなされたものであり、ＬＥＤ電球を点灯した場合にＬＥＤから発せられた光がレンズを透過した場合に照射された物にリング状模様が映し出されないＬＥＤ電球を提供するものである。
【課題を解決するための手段】
【０００５】
請求項１の考案は、カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された凹部と、前記レンズ先端部の外側面及び前記凹部の表面の少なくとも一方に形成された細かい凹凸と、を有してなることを特徴としている。
請求項２の考案は、カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された凹部と、前記レンズ本体部の外側面及び前記凹部の表面に形成された細かい凹凸と、を有してなることを特徴としている。
請求項３の考案は、カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された漏斗状凹部と、前記レンズ先端部の外側面及び前記漏斗状凹部の表面の少なくとも一方に形成された細かい凹凸と、を有してなることを特徴としている。
請求項４の考案は、カバー体と、筐体と、口金と、を備えてなるＬＥＤ電球であって、前記筐体に設けられたＬＥＤ取付板と、このＬＥＤ取付板に取り付けられたＬＥＤと、このＬＥＤを覆うように取り付けられると共にＬＥＤからの光を所定の方向に導くレンズと、このレンズに形成されたレンズ円柱部と、このレンズ円柱部に連続形成されたレンズ先端部と、このレンズ先端部の先端面に形成された漏斗状凹部と、前記レンズ先端部の外側面及び前記漏斗状凹部の表面に形成された細かい凹凸と、を有してなることを特徴としている。
請求項５の考案は、前記カバー体を球状に形成したことを特徴としている。
【考案の効果】
【０００６】
本考案のＬＥＤ電球は、ＬＥＤから発せられた光はレンズ本体部を透過する際に拡散されるので、ＬＥＤ電球と対向すると共にＬＥＤ電球の光が照射される物の表面にリング状模様が映し出されないため目障りにならないという優れた効果を有する。
【図面の簡単な説明】
【０００７】
【図１】第１実施例のＬＥＤ電球の正面図である。
【図２】第１実施例のＬＥＤ電球の分解斜視図である。
【図３】第２実施例のＬＥＤ電球の正面図である。
【考案を実施するための形態】
【０００８】
考案を実施するために最良の形態の例として以下のような実施例を示す。
【実施例１】
【０００９】
図１及び図２には本考案に係るＬＥＤ電球の第１実施例が示されている。
図１に示されるように、このＬＥＤ電球１０はカバー体１２と、筐体１４と、口金１６と、を備えている。このカバー体１２は後述するＬＥＤを覆って保護するとともにＬＥＤからの光を透過させるようになっている。
前記カバー体１２は、透明な樹脂またはガラスから略球状に形成されている。また、前記口金１６は作動回路部品に電気的に接続されるとともに、外部電源に接続されるソケットに螺合するようなネジ１６Ａが形成されている。
図２に示されるように、前記カバー体１２の基端部には取付金具１８が固定されている。この取付金具１８の内面にはメネジ（図示せず）が形成されている。また、前記筐体１４の先端部にはオネジ１４Ａが形成され、前記取付金具１８のメネジと螺合するようになっている。
前記筐体１４にはＬＥＤ取付板２０が設けられている。このＬＥＤ取付板２０の中央にはＬＥＤ２２が取り付けられている。また、前記筐体１４の内部には前記ＬＥＤ２２を作動させるための図示しない作動回路部品や作動回路部品に与える直流電圧を生成する電源等が収容されている。
前記ＬＥＤ取付板２０にはリング状のレンズ位置決め体２４が載置されている。このレンズ位置決め体２４にはレンズ２６が取り付けられるようになっている。従って、このレンズ２６を配設するとレンズ２６は前記ＬＥＤ２２を覆うようになっている。そして、前記レンズ２６は前記ＬＥＤ２２から発せられた光を所定の方向に導く役目を果たすものである。
前記レンズ２６のレンズ基板部２６Ａは円板状に形成されており、前記レンズ位置決め体２４の開口部２４Ａに嵌入するようになっている。なお、前記レンズ２６はレンズ基板部２６Ａに挿入されるネジ（図示せず）によって前記ＬＥＤ取付板２０に固定されるようになっている。
また、このレンズ基板部２６Ａにはレンズ円柱部２６Ｂが連続形成されている。このレンズ円柱部２６Ｂの先端にはレンズ本体部２６Ｃが連続形成されている。このレンズ本体部２６Ｃの先端面には凹部としての漏斗状の漏斗状凹部２８が形成されている。
図１及び図２に示されるように、前記レンズ本体部２６Ｃの外側面及び前記漏斗状凹部２８の表面には極めて細かい凹凸３０が形成されている。この実施例ではこの凹凸３０はサンドブラストによって形成されている。
【００１０】
次に、実施例のＬＥＤ電球１０の作用について説明する。
このＬＥＤ電球１０を点灯させるとＬＥＤ２２から発せられた光はレンズ２６のレンズ基板部２６Ａ、レンズ円柱部２６Ｂを透過してレンズ本体部２６Ｃに導かれる。
このとき、レンズ本体部２６Ｃの外側面及び前記漏斗状凹部２８の表面には極めて細かい凹凸３０が形成されている。
従って、ＬＥＤ電球１０から発せられる光はレンズ本体部２６Ｃを透過する際にレンズ本体部２６Ｃの外側面及び前記漏斗状凹部２８の表面に形成された極めて細かい凹凸３０によって拡散される。
この結果、前記ＬＥＤ電球１０を点灯した場合にＬＥＤ電球１０と対向してＬＥＤ電球１０の光が照射される物（天井、壁、テーブル等）の表面にはリング状模様が映し出されないため、看者が前記物を見ても目障りになることはない。
【００１１】
図３には本考案に係るＬＥＤ電球の第２実施例が示されている。
なお、第１実施例のＬＥＤ電球１０と同一の構成は同一の符号を用いてその説明を省略する。
図３に示されるように、第２実施例のＬＥＤ電球４０のカバー体４２の形状は第１実施例のＬＥＤ電球１０のカバー体１２の形状とは異なりキャンドル型に形成されている。
なお、他の構成や作用は第１実施例のＬＥＤ電球１０と同一であるので、その説明は省略する。
【００１２】
なお、実施例では前記レンズ本体部２６Ｃの外側面及び前記漏斗状凹部２８の表面に設けた極めて細かい凹凸３０はサンドブラストによって形成したが、極めて細かい凹凸３０を形成するのはサンドブラストに限定されるものでないことは勿論である。
また、実施例では前記レンズ本体部２６Ｃの外側面と前記漏斗状凹部２８の表面の両方に極めて細かい凹凸３０を形成したが、極めて細かい凹凸３０は前記レンズ本体部２６Ｃの外側面又は前記漏斗状凹部２８の表面の一方だけに形成してもよい。
なお、実施例では前記レンズ本体部２６Ｃの先端面に凹部として漏斗状凹部２８を形成したが、凹部は漏斗状の漏斗状凹部２８に限定されるものでないことは勿論である。
【産業上の利用可能性】
【００１３】
本考案のＬＥＤ電球１０は単独で使用するだけでなく、シャンデリア等に使用する場合のように同時に複数の使用もすることができる。
【符号の説明】
【００１４】
１０    ＬＥＤ電球
１２    カバー体
１４    筐体
１６    口金
１８    取付金具
２０    ＬＥＤ取付板
２２    ＬＥＤ
２４    レンズ位置決め体
２６    レンズ
２６Ａ  レンズ基板部
２６Ｂ  レンズ円柱部
２６Ｃ  レンズ本体部
２８    漏斗状凹部
３０    凹凸
【図１】
0003171406.tif 000003
【図２】
0003171406.tif 000004
【図３】
0003171406.tif 000005